(57)【要約】本発明は、第１ベアリング体、第２ベアリング体、第３ベアリング体及び第４ベアリング体がそれぞれ、第１ガイド棒、第２ガイド棒、第３ガイド棒及び第４ガイド棒にそれぞれ嵌められて備えられることで、重量体の持ち上げられる動作によって、前記第１ベアリング体、第２ベアリング体、第３ベアリング体及び第４ベアリング体がそれぞれ、第１ガイド棒、第２ガイド棒、第３ガイド棒及び第４ガイド棒に沿って昇下降スライドされることは勿論、第１ベアリング体、第２ベアリング体、第３ベアリング体及び第４ベアリング体のそれぞれに備えられる複数個の第１ベアリング及び第２ベアリングが、互いに対して交差する「十」字状に位置して、第１ガイド棒、第２ガイド棒、第３ガイド棒及び第４ガイド棒の外面を同時に密着支持することができるので、持ち上げられる重量体の荷重が分散することができ、ウエイト運動棒、鉄棒運動棒及び平行運動具を用いて様々なウエイト運動を行うことができるウエイト運動器具が開示される。
2021513387.tif 000002
【特許請求の範囲】
【請求項１】
両側に互いに対向するように位置する第１支持フレーム（１）及び第２支持フレーム（２）と、前記第１支持フレーム（１）及び第２支持フレーム（２）の上端を連結する上端連結フレーム（３）と、前記第１支持フレーム（１）及び第２支持フレーム（２）の下端を連結する下端連結フレーム（４）と、前記第１支持フレーム（１）の下部に位置する第１重量体（５）と、前記第２支持フレーム（２）の下部に位置する第２重量体（６）とを含み、
前記第１重量体（５）の上端両側から貫通し、前記第１支持フレーム（１）の上端及び下端にそれぞれ上端及び下端が固定され、前記第１支持フレーム（１）の垂直長手方向に沿って位置する第１ガイド棒（１１）及び第２ガイド棒（１２）と、前記第２重量体（６）の上端両側から貫通し、前記第２支持フレーム（２）の上端及び下端にそれぞれ上端及び下端が固定され、前記第２支持フレーム（２）の垂直長手方向に沿って位置する第３ガイド棒（１３）及び第４ガイド棒（１４）と、前記第１ガイド棒（１１）に嵌められて第１ガイド棒（１１）に沿って昇下降スライドされ、第１ヒンジ溝（３１）を有する第１ベアリング体（３０ａ）と、前記第２ガイド棒（１２）に嵌められて第２ガイド棒（１２）に沿って昇下降スライドされる第２ベアリング体（３０ｂ）と、前記第３ガイド棒（１３）に嵌められて第３ガイド棒（１３）に沿って昇下降スライドされ、第２ヒンジ溝（３２）を有する第３ベアリング体（３０ｃ）と、前記第４ガイド棒（１４）に嵌められて第４ガイド棒（１４）に沿って昇下降スライドされる第４ベアリング体（３０ｄ）と、第１ヒンジ突部（４１）を有する第１ヒンジ固定具（４２）が一側に備えられ、前記第１ベアリング体（３０ａ）の第１ヒンジ溝（３１）に前記第１ヒンジ突部（４１）が嵌められて係止されることによって前記第１ベアリング体（３０ａ）と一側が連結され、第２ヒンジ突部（４３）を有する第２ヒンジ固定具（４４）が他側に備えられ、前記第３ベアリング体（３０ｃ）の第２ヒンジ溝（３２）に前記第２ヒンジ突部（４３）が嵌められて係止されることによって前記第２ベアリング体（３０ｂ）と他側が連結されるウエイト運動棒（４０）と、前記第１重量体（５）の上端中央に下端が固定され、前記第１ベアリング体（３０ａ）の第１ヒンジ溝（３１）と対向する第１係止溝（５１）が垂直長手方向に沿って複数個備えられ、前記第２ベアリング体（３０ｂ）と連結される第１連結片（５２）を有する第１重量体昇下降具（５０ａ）と、前記第２重量体（６）の上端中央に下端が固定され、前記第３ベアリング体（３０ｃ）の第２ヒンジ溝（３２）と対向する第２係止溝（５３）が垂直長手方向に沿って複数個備えられ、前記第４ベアリング体（３０ｄ）と連結される第２連結片（５４）を有する第２重量体昇下降具（５０ｂ）と、前記第１ベアリング体（３０ａ）に一側が連結され、他側は第１平衡錘（６１）と連結される第１ワイヤ（６２）、及び前記第３ベアリング体（３０ｃ）に一側が連結され、他側は第２平衡錘（６３）と連結される第２ワイヤ（６４）と、前記第１ワイヤ（６２）をガイドする第１ローラベアリング（６５）及び前記第２ワイヤ（６４）をガイドする第２ローラベアリング（６６）と、前記第１支持フレーム（１）と前記上端連結フレーム（３）を連結する第１補助フレーム（７１）、及び前記第２支持フレーム（２）と前記上端連結フレーム（３）を連結する第２補助フレーム（７２）と、前記第１補助フレーム（７１）に一側が固定される第１鉄棒運動棒（７３）と、前記第１鉄棒運動棒（７３）と対向するように前記第２補助フレーム（７２）に一側が固定される第２鉄棒運動棒（７４）と、前記第１補助フレーム（７１）に一側が固定され、前記上端連結フレーム（３）側に位置する第３鉄棒運動棒（７５）と、前記第２補助フレーム（７２）に一側が固定され、前記第３鉄棒運動棒（７５）と対向するように位置し、前記上端連結フレーム（３）側に位置する第４鉄棒運動棒（７６）と、前記第１支持フレーム（１）の前面に備えられる第１平行運動具（８１）及び前記第２支持フレーム（２）の前面に備えられる第２平行運動具（８２）とを有するウエイト運動器具であって、
前記第１ベアリング体（３０ａ）、第２ベアリング体（３０ｂ）、第３ベアリング体（３０ｃ）及び第４ベアリング体（３０ｄ）は、
第１締結部（３１１）が一側に備えられ、内側中央に長手方向に沿って備えられる第１スライディング部（３１２）と、前記第１スライディング部（３１２）を中心に互いに対称となる方向に対向するように前記第１スライディング部（３１２）の両側上部に備えられる第１ベアリング収容部（３１３）及び前記第１スライディング部（３１２）の両側下部に備えられる第２ベアリング収容部（３１４）とを有する第１ベアリング収容体（３１０）と；
前記第１締結部（３１１）と対応する第２締結部（３２１）が一側に備えられ、内側中央に長手方向に沿って備えられる第２スライディング部（３２２）と、前記第２スライディング部（３２２）を中心に互いに対称となる方向に対向するように前記第２スライディング部（３２２）の両側上部に備えられる第３ベアリング収容部（３２３）及び前記第２スライディング部（３２２）の両側下部に備えられる第４ベアリング収容部（３２４）とを有する第２ベアリング収容体（３２０）と；
前記第１ベアリング収容部（３１３）と第３ベアリング収容部（３２３）にそれぞれ一側と他側が収容される複数個の第１ベアリング（３３０）と；
前記第２ベアリング収容部（３１４）と第４ベアリング収容部（３２４）にそれぞれ一側と他側が収容される複数個の第２ベアリング（３４０）とが備えられ、
前記複数個の第１ベアリング（３３０）及び複数個の第２ベアリング（３４０）は、互いに対して交差する「十」字状に位置して、前記第１ベアリング体（３０ａ）が嵌められる第１ガイド棒（１１）、第２ベアリング体（３０ｂ）が嵌められる第２ガイド棒（１２）、第３ベアリング体（３０ｃ）が嵌められる第３ガイド棒（１３）及び第４ベアリング体（３０ｄ）が嵌められる第４ガイド棒（１４）の外面をそれぞれ上下部の４方向で同時に密着支持し、前記第１ベアリング体（３０ａ）、第２ベアリング体（３０ｂ）、第３ベアリング体（３０ｃ）及び第４ベアリング体（３０ｄ）に伝達される重量体の荷重が分散するように備えられてなることを特徴とする、ウエイト運動器具。
【請求項２】
前記第１ベアリング収容部（３１３）は、
前記第１スライディング部（３１２）を中心に両側にそれぞれ位置し、前記複数個の第１ベアリング（３３０）の一側がそれぞれ収容され、前記複数個の第１ベアリング（３３０）の一側がそれぞれ嵌合される第１軸嵌合部（３１３１）が内側に備えられる半円状からなり、
前記第３ベアリング収容部（３２３）は、
前記第２スライディング部（３２２）を中心に両側にそれぞれ位置し、前記第１ベアリング収容部（３１３）と対向するように位置し、前記複数個の第１ベアリング（３３０）の他側がそれぞれ収容され、前記複数個の第１ベアリング（３３０）の他側がそれぞれ嵌合される第２軸嵌合部（３２３１）が内側に備えられる半円状からなり、
前記第２ベアリング収容部（３１４）は、
前記第１スライディング部（３１２）を中心に両側にそれぞれ位置し、前記複数個の第２ベアリング（３４０）の一側がそれぞれ収容され、前記複数個の第２ベアリング（３４０）の一側がそれぞれ嵌合される第３軸嵌合部（３１４１）が内側に備えられる半円状からなり、
前記第４ベアリング収容部（３２４）は、
前記第２スライディング部（３２２）を中心に両側にそれぞれ位置し、前記第２ベアリング収容部（３１４）と対向するように位置し、前記複数個の第２ベアリング（３４０）の他側がそれぞれ収容され、前記複数個の第２ベアリング（３４０）の他側がそれぞれ嵌合される第４軸嵌合部（３２４１）が内側に備えられる半円状に備えられてなることを特徴とする、請求項１に記載のウエイト運動器具。
【請求項３】
前記第１ワイヤ（６２）をガイドする第１ローラベアリング（６５）は、
前記第１ワイヤ（６２）が密着してガイドされる第１ローラ部（６５１）と、
前記第１ローラ部（６５１）の内側に備えられる第１ベアリング部（６５２）とが備えられ、
前記第２ワイヤ（６４）をガイドする第２ローラベアリング（６６）は、
前記第２ワイヤ（６４）が密着してガイドされる第２ローラ部（６６１）と、
前記第２ローラ部（６６１）の内側に備えられる第２ベアリング部（６６２）とが備えられてなることを特徴とする、請求項１に記載のウエイト運動器具。
【発明の詳細な説明】
【技術分野】
【０００１】
本発明は、ウエイト運動器具に関し、より詳細には、重い重量体を持ち上げる動作を繰り返して行う過程で、重量体の加えられる荷重に対する対応力を向上させて重量体を持ち上げる動作が容易に行われるようにし、一つの運動器具を用いて様々な運動を行うことができるようにするウエイト運動器具に関する。
【背景技術】
【０００２】
一般に、ウエイト運動器具は、上半身鍛練用運動器具と下半身鍛練用運動器具とに区分されており、これらの運動器具には、使用者に応じて適切に重量を調節できる重量体が備えられ、重量体によって使用者の上半身又は下半身の筋肉運動が行われるようにしている。
【０００３】
例えば、下半身運動器具は、使用者の下半身部分のふくらはぎの筋肉と太ももの筋肉を強化させる運動器具であり、上半身運動器具は、使用者の背中の筋肉と肩の筋肉を強化させたり、使用者の腕の筋肉を強化させたりする運動器具である。
【０００４】
このようなウエイト運動器具は、地面に垂直に設置される支持フレーム体と、支持フレーム体に垂直に連結されるガイド棒と、ガイド棒にベアリングで連結される垂直運動ガイドと、垂直運動ガイドと連結されるバーベル棒と、前記垂直運動ガイドと連結されて前記運動バーを持ち上げる動作によって持ち上げられる重量体とからなる。
【０００５】
このような従来のウエイト運動器具を用いて運動する方法のうち、使用者がバーベル棒を掴んだ状態で、自分の足を肩幅よりも狭く開いた後、胸と腰をまっすぐに伸ばした状態で、バーベル棒をゆっくりと上げ下げする動作を繰り返すデッドリフト運動方法がある。
【０００６】
すなわち、運動者が、自分が持ち上げられる重量だけの重量体を選択した後、バーベル棒を運動者の首の後ろの部分に位置した状態で、バーベル棒が運動者の肩に位置するようにバーベル棒を掴んで座ったり立ち上がったりする動作を取りながら運動が行われるようにしている。
【０００７】
このように、バーベル棒を運動者が持ち上げる動作によって重量体を持ち上げるとき、ベアリングによってバーベル棒と連結される垂直運動ガイドがガイド棒に沿って容易に昇下降スライド移動するようにして、重量体を容易に持ち上げながら運動が行われるようにしている。
【０００８】
しかし、従来のウエイト運動器具のベアリングは、バーベル棒を持ち上げる過程で垂直運動ガイドに伝達される重量体の荷重に対する対応力が低下して、運動者にとって、バーベル棒を持ち上げる動作によって重量体を持ち上げる動作が容易でないようにしている。
【０００９】
また、従来のウエイト運動器具のベアリングの場合、ベアリングが連結される垂直運動ガイドから強固に連結されないため、繰り返して垂直運動ガイドが昇下降運動をする過程で、ベアリングがガイド棒から分離される現象が発生する。
【００１０】
従来技術を説明すると、韓国登録特許第１０−０７７６５７３号である運動器具用ベアリングが案出されており、これは、運動器具の回転体と結合又は支持され、左右の外周縁に固定手段を固定するためのねじ部が左右対称に形成された回転軸と、前記回転軸が貫通できるように内周縁に貫通孔を形成させ、内周縁の中央に係止段部を形成し、両側の内周縁の端部に密閉段部を形成したボディーと、前記回転軸を貫通させ、ボディーの貫通孔に一対で結合して回転軸の垂直方向の荷重や軸方向の荷重を支持しながら回転させるベアリングと、前記回転軸の左右のねじ部に締結して、ベアリングをボディーの係止段部に密着固定させることができるように内周縁にねじ孔が形成された固定手段と、前記回転軸に貫通されてボディーの貫通孔と回転軸の外周縁を密閉させる密閉手段とからなっている。
【００１１】
このような従来技術は、固定部と緩み防止具で構成された固定手段を設置して、ベアリングの直立性、及び回転軸が振れることなく円滑に正回転できるようにしている。
【００１２】
しかし、従来技術の場合、回転体に対する回転が容易に行われるように構成されているため、ガイド棒に沿って垂直に昇下降スライド移動するウエイト運動器具のベアリングに適用して使用することが難しいという問題がある。
【発明の概要】
【発明が解決しようとする課題】
【００１３】
本発明は、一つのウエイト運動器具を用いて様々な運動を行うことができるようにし、重量体を持ち上げる動作が容易に行われるようにしたウエイト運動器具を提供することにその目的がある。
【課題を解決するための手段】
【００１４】
両側に互いに対向するように位置する第１支持フレーム及び第２支持フレームと、前記第１支持フレーム及び第２支持フレームの上端を連結する上端連結フレームと、前記第１支持フレーム及び第２支持フレームの下端を連結する下端連結フレームと、前記第１支持フレームの下部に位置する第１重量体と、前記第２支持フレームの下部に位置する第２重量体とを含むウエイト運動器具において、前記第１重量体の上端両側から貫通し、第１支持フレームの上端及び下端にそれぞれ上端及び下端が固定され、前記第１支持フレームの垂直長手方向に沿って位置する第１ガイド棒及び第２ガイド棒と；前記第２重量体の上端両側から貫通し、第２支持フレームの上端及び下端にそれぞれ上端及び下端が固定され、前記第２支持フレームの垂直長手方向に沿って位置する第３ガイド棒及び第４ガイド棒と；前記第１ガイド棒に嵌められて第１ガイド棒に沿って昇下降スライドされ、第１ヒンジ溝を有する第１ベアリング体と；前記第２ガイド棒に嵌められて第２ガイド棒に沿って昇下降スライドされる第２ベアリング体と；前記第３ガイド棒に嵌められて第３ガイド棒に沿って昇下降スライドされ、第２ヒンジ溝を有する第３ベアリング体と；前記第４ガイド棒に嵌められて第４ガイド棒に沿って昇下降スライドされる第４ベアリング体と；第１ヒンジ突部を有する第１ヒンジ固定具が一側に備えられ、前記第１ベアリング体の第１ヒンジ溝に前記第１ヒンジ突部が嵌められて係止されることによって前記第１ベアリング体と一側が連結され、第２ヒンジ突部を有する第２ヒンジ固定具が他側に備えられ、前記第３ベアリング体の第２ヒンジ溝に前記第２ヒンジ突部が嵌められて係止されることによって前記第２ベアリング体と他側が連結されるウエイト運動棒と；前記第１重量体の上端中央に下端が固定され、前記第１ベアリング体の第１ヒンジ溝と対向する第１係止溝が垂直長手方向に沿って複数個備えられ、前記第２ベアリング体と連結される第１連結片を有する第１重量体昇下降具と；前記第２重量体の上端中央に下端が固定され、前記第３ベアリング体の第２ヒンジ溝と対向する第２係止溝が垂直長手方向に沿って複数個備えられ、前記第４ベアリング体と連結される第２連結片を有する第２重量体昇下降具と；前記第１ベアリング体に一側が連結され、他側は第１平衡錘と連結される第１ワイヤ、及び前記第３ベアリング体に一側が連結され、他側は第２平衡錘と連結される第２ワイヤと；前記第１ワイヤをガイドする第１ローラベアリング及び前記第２ワイヤをガイドする第２ローラベアリングと；前記第１支持フレームと前記上端連結フレームを連結する第１補助フレーム、及び前記第２支持フレームと前記上端連結フレームを連結する第２補助フレームと；前記第１補助フレームに一側が固定される第１鉄棒運動棒と、前記第１鉄棒運動棒と対向するように前記第２補助フレームに一側が固定される第２鉄棒運動棒と；前記第１補助フレームに一側が固定され、前記上端連結フレーム側に位置する第３鉄棒運動棒と；前記第２補助フレームに一側が固定され、前記第３鉄棒運動棒と対向するように位置し、前記上端連結フレーム側に位置する第４鉄棒運動棒と；前記第１支持フレームの前面に備えられる第１平行運動具及び前記第２支持フレームの前面に備えられる第２平行運動具と、が備えられてなる。
【発明の効果】
【００１５】
本発明は、第１ベアリング体、第２ベアリング体、第３ベアリング体及び第４ベアリング体がそれぞれ、第１ガイド棒、第２ガイド棒、第３ガイド棒及び第４ガイド棒にそれぞれ嵌められて備えられることで、重量体の持ち上げられる動作によって、前記第１ベアリング体、第２ベアリング体、第３ベアリング体及び第４ベアリング体がそれぞれ、第１ガイド棒、第２ガイド棒、第３ガイド棒及び第４ガイド棒に沿って昇下降スライドされることは勿論、第１ベアリング体、第２ベアリング体、第３ベアリング体及び第４ベアリング体のそれぞれに備えられる複数個の第１ベアリング及び第２ベアリングが、互いに対して交差する「十」字状に位置して、第１ガイド棒、第２ガイド棒、第３ガイド棒及び第４ガイド棒の外面を同時に密着支持することができるので、持ち上げられる重量体の荷重が分散することができ、ウエイト運動棒、鉄棒運動棒及び平行運動具を用いて様々なウエイト運動を行うことができる。
【図面の簡単な説明】
【００１６】
【図１】本発明であるウエイト運動器具を示す斜視図である。
【図２】本発明であるウエイト運動器具の構成要部を示す一側斜視図である。
【図３】本発明であるウエイト運動器具の構成要部を示す他側斜視図である。
【図４】本発明であるウエイト運動器具のベアリング体の連結状態を示す構成図である。
【図５】本発明であるウエイト運動器具のウエイト運動棒の連結状態を示す構成図である。
【図６】本発明であるウエイト運動器具のベアリング体の昇下降状態を示す構成図である。
【図７】本発明であるウエイト運動器具のベアリング体を示す分解斜視図である。
【図８】本発明であるウエイト運動器具の他の実施例を示す斜視図である。
【図９】本発明であるウエイト運動器具のローラベアリングを示す構成図である。
【図１０】本発明であるウエイト運動器具のローラベアリングを示す斜視図である。
【図１１】本発明であるウエイト運動器具を用いた運動動作を示す概念図である。
【図１２】本発明であるウエイト運動器具を用いた運動動作を示す概念図である。
【発明を実施するための形態】
【００１７】
図示のように、本発明は、両側に互いに対向するように位置する第１支持フレーム１及び第２支持フレーム２と、前記第１支持フレーム１及び第２支持フレーム２の上端を連結する上端連結フレーム３と、前記第１支持フレーム１及び第２支持フレーム２の下端を連結する下端連結フレーム４と、前記第１支持フレーム１の下部に位置する第１重量体５と、前記第２支持フレーム２の下部に位置する第２重量体６とを含むウエイト運動器具に関する。
【００１８】
本発明であるウエイト運動器具は、前記第１重量体５の上端両側から貫通し、前記第１支持フレーム１の上端及び下端にそれぞれ上端及び下端が固定され、前記第１支持フレーム１の垂直長手方向に沿って位置する第１ガイド棒１１及び第２ガイド棒１２と、前記第２重量体６の上端両側から貫通し、前記第２支持フレーム２の上端及び下端にそれぞれ上端及び下端が固定され、前記第２支持フレーム２の垂直長手方向に沿って位置する第３ガイド棒１３及び第４ガイド棒１４とが備えられてなる。
【００１９】
前記第１ガイド棒１１及び第２ガイド棒１２は、前記第１重量体５を貫通するように備えられ、前記第３ガイド棒１３及び第４ガイド棒１４は、前記第２重量体６を貫通するように備えられているので、前記第１重量体５及び第２重量体６が昇下降するとき、干渉せずに前記第１重量体５及び第２重量体６の昇下降動作をガイドする。
【００２０】
また、前記第１ガイド棒１１に嵌められて第１ガイド棒１１に沿って昇下降スライドされ、第１ヒンジ溝３１を有する第１ベアリング体３０ａと、前記第２ガイド棒１２に嵌められて第２ガイド棒１２に沿って昇下降スライドされる第２ベアリング体３０ｂと、前記第３ガイド棒１３に嵌められて第３ガイド棒１３に沿って昇下降スライドされ、第２ヒンジ溝３２を有する第３ベアリング体３０ｃと、前記第４ガイド棒１４に嵌められて第４ガイド棒１４に沿って昇下降スライドされる第４ベアリング体３０ｄとが備えられる。
【００２１】
前記第１ベアリング体３０ａ、第２ベアリング体３０ｂ、第３ベアリング体３０ｃ及び第４ベアリング体３０ｄは、本発明の第１重量体昇下降具５０ａと第２重量体昇下降具５０ｂが昇下降するとき、前記第１ガイド棒１１、第２ガイド棒１２、第３ガイド棒１３及び第４ガイド棒１４に沿って昇降及び下降するものであって、このように、前記第１ベアリング体３０ａ、第２ベアリング体３０ｂ、第３ベアリング体３０ｃ及び第４ベアリング体３０ｄが昇降及び下降するので、前記第１重量体５及び第２重量体６が持ち上げられるときに荷重が分散し、第１重量体５及び第２重量体６の持ち上げ動作が容易に行われる。
【００２２】
このために、本発明の第１重量体昇下降具５０ａは、前記第１重量体５の上端中央に下端が固定され、前記第１ベアリング体３０ａの第１ヒンジ溝３１と対向する第１係止溝５１が垂直長手方向に沿って複数個備えられ、前記第２ベアリング体３０ｂと連結される第１連結片５２が備えられてなる。
【００２３】
また、本発明の第２重量体昇下降具５０ｂは、前記第２重量体６の上端中央に下端が固定され、前記第３ベアリング体３０ｃの第２ヒンジ溝３２と対向する第２係止溝５３が垂直長手方向に沿って複数個備えられ、前記第４ベアリング体３０ｄと連結される第２連結片５４が備えられてなる。
【００２４】
このように構成された前記第１重量体昇下降具５０ａは、前記第１重量体５の上端中央に下端が固定されているため、前記第１重量体５の持ち上げられる動作によって昇降し、前記第１重量体昇下降具５０ａにそれぞれ連結される第１ベアリング体３０ａ及び第２ベアリング体３０ｂも持ち上げられながら、第１重量体５によって伝達される荷重が分散される。
【００２５】
また、前記第２重量体昇下降具５０ｂは、前記第２重量体６の上端中央に下端が固定されているため、前記第２重量体６の持ち上げられる動作によって昇降し、前記第２重量体昇下降具５０ｂにそれぞれ連結される第３ベアリング体３０ｃ及び第４ベアリング体３０ｄも持ち上げられながら、第２重量体６によって伝達される荷重が分散される。
【００２６】
本発明は、第１ヒンジ突部４１を有する第１ヒンジ固定具４２が一側に備えられ、前記第１ベアリング体３０ａの第１ヒンジ溝３１に前記第１ヒンジ突部４１が嵌められて係止されることによって前記第１ベアリング体３０ａと一側が連結され、第２ヒンジ突部４３を有する第２ヒンジ固定具４４が他側に備えられ、前記第３ベアリング体３０ｃの第２ヒンジ溝３２に前記第２ヒンジ突部４３が嵌められて係止されることによって前記第２ベアリング体３０ｂと他側が連結される、ウエイト運動棒４０が備えられてなる。
【００２７】
このように構成されたウエイト運動棒４０を用いて上半身運動を行えばよいもので、運動者が座っている状態で、運動者の首の後ろの部分に前記ウエイト運動棒４０を位置させた後、ウエイト運動棒４０を両手で握った状態で立ち上がると、前記ウエイト運動棒４０が持ち上げられ、ウエイト運動棒４０が持ち上げられる動作によって、前記ウエイト運動棒４０の一側に備えられた第１ヒンジ固定具４２の第１ヒンジ突部４１が嵌められて係止された前記第１重量体昇下降具５０ａと、前記第１重量体昇下降具５０ａと連結された第１ベアリング体３０ａ及び第２ベアリング体３０ｂとが昇降する。
【００２８】
もちろん、前記第１重量体昇下降具５０ａの下端が上端に連結された前記第１重量体５も持ち上げられる。
【００２９】
また、ウエイト運動棒４０が持ち上げられる動作によって、前記ウエイト運動棒４０の他側に備えられた第２ヒンジ固定具４４の第２ヒンジ突部４３が嵌められて係止された前記第２重量体昇下降具５０ｂと、前記第２重量体昇下降具５０ｂと連結された第３ベアリング体３０ｃ及び第４ベアリング体３０ｄとが昇降し、これによって、前記第２重量体昇下降具５０ｂの下端が上端に連結された前記第２重量体６も持ち上げられる。
【００３０】
このように、第１重量体５及び第２重量体６が前記ウエイト運動棒４０が持ち上げられる動作によって持ち上げられるときの荷重が、前記第１ベアリング体３０ａ、第２ベアリング体３０ｂ、第３ベアリング体３０ｃ及び第４ベアリング体３０ｄによって分散され、ウエイト運動棒４０に伝達されることを最小化するので、運動者の首の後ろの部分に加わる圧迫を最小化することができる。
【００３１】
また、運動者が椅子９０に座っている状態で、前記ウエイト運動棒４０を運動者の胸に位置させた後、両手でウエイト運動棒４０を把持してウエイト運動棒４０を持ち上げるか、または椅子９０に横たわった状態で、両手でウエイト運動棒４０を把持してウエイト運動棒４０を持ち上げる動作によって、様々なウエイト運動を行うことができる。
【００３２】
このために、本発明の前記下端連結フレーム４には、前記第１支持フレーム１の前面及び第２支持フレーム２の前面側に展開される椅子９０が備えられてなる。
【００３３】
このとき、前記椅子９０は、前記下端連結フレーム４とヒンジ部９１によって連結されて、前記ヒンジ部９１を軸として前記第１支持フレーム１の前面及び第２支持フレーム２の前面側に展開されるか、または前記第１支持フレーム１の後面及び第２支持フレーム２の後面側に起立するように備えられてなる。
【００３４】
これによって、運動者が必要なウエイト運動をそれぞれ行う過程で、椅子９０をヒンジ部９１を軸として前記第１支持フレーム１の前面及び第２支持フレーム２の前面側に展開するか、または前記第１支持フレーム１の後面及び第２支持フレーム２の後面側に起立させて様々なウエイト運動を行えばよい。
【００３５】
本発明は、前記第１ベアリング体３０ａに一側が連結され、他側は第１平衡錘６１と連結される第１ワイヤ６２、及び前記第３ベアリング体３０ｃに一側が連結され、他側は第２平衡錘６３と連結される第２ワイヤ６４と、前記第１ワイヤ６２をガイドする第１ローラベアリング６５、及び前記第２ワイヤ６４をガイドする第２ローラベアリング６６とが備えられてなる。
【００３６】
前記第１ワイヤ６２をガイドする第１ローラベアリング６５は、前記第１ワイヤ６２が密着してガイドされる第１ローラ部６５１と、前記第１ローラ部６５１の内側に備えられる第１ベアリング部６５２とが備えられてなる。
【００３７】
また、前記第２ワイヤ６４をガイドする第２ローラベアリング６６は、前記第２ワイヤ６４が密着してガイドされる第２ローラ部６６１と、前記第２ローラ部６６１の内側に備えられる第２ベアリング部６６２とが備えられてなる。
【００３８】
このように、第１ベアリング部６５２を有する第１ローラベアリング６５及び第２ベアリング部６６２を有する第２ローラベアリング６６によって、第１ワイヤ６２及び第２ワイヤ６４がそれぞれガイドされるので、第１重量体５及び第２重量体６が上げ下げされるとき、動作が滑らかで容易に行なわれ得、騒音が発生しない。
【００３９】
本発明は、前記第１支持フレーム１と前記上端連結フレーム３を連結する第１補助フレーム７１、及び前記第２支持フレーム２と前記上端連結フレーム３を連結する第２補助フレーム７２が備えられ、前記第１補助フレーム７１に一側が固定される第１鉄棒運動棒７３と、前記第１鉄棒運動棒７３と対向するように前記第２補助フレーム７２に一側が固定される第２鉄棒運動棒７４と、前記第１補助フレーム７１に一側が固定され、前記上端連結フレーム３側に位置する第３鉄棒運動棒７５と、前記第２補助フレーム７２に一側が固定され、前記第３鉄棒運動棒７５と対向するように位置し、前記上端連結フレーム３側に位置する第４鉄棒運動棒７６と、前記第１支持フレーム１の前面に備えられる第１平行運動具８１と、前記第２支持フレーム２の前面に備えられる第２平行運動具８２とが備えられてなる。
【００４０】
このように、第１補助フレーム７１と第２補助フレーム７２にそれぞれ互いに対して対応して位置する第１鉄棒運動棒７３と第２鉄棒運動棒７４及び第３鉄棒運動棒７５と第４鉄棒運動棒７６が備えられているので、運動者が前記第１鉄棒運動棒７３と第２鉄棒運動棒７４を両手でそれぞれ握った状態で、懸垂運動のような鉄棒運動をするか、または前記第３鉄棒運動棒７５と第４鉄棒運動棒７６を両手でそれぞれ握った状態で、懸垂運動のような鉄棒運動をすることができる。
【００４１】
また、前記第１平行運動具８１と第２平行運動具８２を運動者が両手でそれぞれ握った状態で平行棒運動を行うことができる。
【００４２】
このように、本発明であるウエイト運動器具によって様々な動作のウエイト運動を行うことができるので、それぞれの運動動作に合わせて運動器具を別途に備えなくて済む。
【００４３】
本発明の前記第１ベアリング体３０ａ、第２ベアリング体３０ｂ、第３ベアリング体３０ｃ及び第４ベアリング体３０ｄは、第１締結部３１１が一側に備えられ、内側中央に長手方向に沿って備えられる第１スライディング部３１２と、前記第１スライディング部３１２を中心に互いに対称となる方向に対向するように前記第１スライディング部３１２の両側上部に備えられる第１ベアリング収容部３１３及び前記第１スライディング部３１２の両側下部に備えられる第２ベアリング収容部３１４とを有する第１ベアリング収容体３１０と、前記第１締結部３１１と対応する第２締結部３２１が一側に備えられ、内側中央に長手方向に沿って備えられる第２スライディング部３２２と、前記第２スライディング部３２２を中心に互いに対称となる方向に対向するように前記第２スライディング部３２２の両側上部に備えられる第３ベアリング収容部３２３及び前記第２スライディング部３２２の両側下部に備えられる第４ベアリング収容部３２４とを有する第２ベアリング収容体３２０と、前記第１ベアリング収容部３１３と第３ベアリング収容部３２３にそれぞれ一側と他側が収容される複数個の第１ベアリング３３０と、前記第２ベアリング収容部３１４と第４ベアリング収容部３２４にそれぞれ一側と他側が収容される複数個の第２ベアリング３４０と、が備えられてなる。
【００４４】
前記複数個の第１ベアリング３３０及び複数個の第２ベアリング３４０は、互いに対して交差する「十」字状に位置して、前記第１ベアリング体３０ａが嵌められる第１ガイド棒１１、第２ベアリング体３０ｂが嵌められる第２ガイド棒１２、第３ベアリング体３０ｃが嵌められる第３ガイド棒１３及び第４ベアリング体３０ｄが嵌められる第４ガイド棒１４の外面をそれぞれ上下部の４方向で同時に密着支持し、前記第１ベアリング体３０ａ、第２ベアリング体３０ｂ、第３ベアリング体３０ｃ及び第４ベアリング体３０ｄに伝達される重量体の荷重が分散するように構成される。
【００４５】
このように構成された本発明は、前記第１締結部３１１と第２締結部３２１は、互いに対して密着した状態でボルト及びナットのような締結手段によって互いに締結されるものであって、このとき、前記第１重量体昇下降具５０ａの第１連結片５２と第２重量体昇下降具５０ｂの第２連結片５４に連結される第２ベアリング体３０ｂ及び第４ベアリング体３０ｄは、前記第１締結部３１１と第２締結部３２１との間に前記第１連結片５２及び第２連結片５４をそれぞれ引き込んで密着させた後、前記第１締結部３１１と第２締結部３２１とを締結固定すればよい。
【００４６】
本発明は、前記複数個の第１ベアリング３３０及び複数個の第２ベアリング３４０がそれぞれ、互いに対して交差する「十」字状からなっているので、複数個の第１ベアリング３３０と複数個の第２ベアリング３４０がそれぞれ、第１ガイド棒１１、第２ガイド棒１２、第３ガイド棒１３及び第４ガイド棒１４の外面にそれぞれ「十」字状に位置した状態で密着して支持できるので、第１重量体５と第２重量体６によって伝達される荷重の分散が容易に行われ得、複数個の第１ベアリング３３０及び複数個の第２ベアリング３４０のいずれか１つに集中して荷重が伝達されることが防止される。
【００４７】
本発明の前記第１ベアリング収容部３１３は、前記第１スライディング部３１２を中心に両側にそれぞれ位置し、前記複数個の第１ベアリング３３０の一側がそれぞれ収容され、前記複数個の第１ベアリング３３０の一側がそれぞれ嵌合される第１軸嵌合部３１３１が内側に備えられる半円状からなり、前記第３ベアリング収容部３２３は、前記第２スライディング部３２２を中心に両側にそれぞれ位置し、前記第１ベアリング収容部３１３と対向するように位置し、前記複数個の第１ベアリング３３０の他側がそれぞれ収容され、前記複数個の第１ベアリング３３０の他側がそれぞれ嵌合される第２軸嵌合部３２３１が内側に備えられる半円状からなる。
【００４８】
また、前記第２ベアリング収容部３１４は、前記第１スライディング部３１２を中心に両側にそれぞれ位置し、前記複数個の第２ベアリング３４０の一側がそれぞれ収容され、前記複数個の第２ベアリング３４０の一側がそれぞれ嵌合される第３軸嵌合部３１４１が内側に備えられる半円状からなり、前記第４ベアリング収容部３２４は、前記第２スライディング部３２２を中心に両側にそれぞれ位置し、前記第２ベアリング収容部３１４と対向するように位置し、前記複数個の第２ベアリング３４０の他側がそれぞれ収容され、前記複数個の第２ベアリング３４０の他側がそれぞれ嵌合される第４軸嵌合部３２４１が内側に備えられる半円状からなる。
【００４９】
このように構成された本発明は、第１ベアリング収容部３１３と第３ベアリング収容部３２３にそれぞれ一側と他側が引き込まれた後、第１軸嵌合部３１３１と第２軸嵌合部３２３１にそれぞれ軸連結される複数個の第１ベアリング３３０が、互いに対して９０°の角度を維持する。
【００５０】
また、第２ベアリング収容部３１４と第４ベアリング収容部３２４にそれぞれ一側と他側が引き込まれた後、第３軸嵌合部３１４１と第４軸嵌合部３２４１にそれぞれ軸連結される複数個の第２ベアリング３４０が、互いに対して９０°の角度を維持する。
【００５１】
これによって、第１重量体５と第２重量体６が持ち上げられるとき、前記第１ベアリング体３０ａ、第２ベアリング体３０ｂ、第３ベアリング体３０ｃ及び第４ベアリング体３０ｄが、前記第１ガイド棒１１、第２ガイド棒１２、第３ガイド棒１３及び第４ガイド棒１４の外面を強固に密着して支持することは勿論、前記第１重量体５と第２重量体６が持ち上げられるときに荷重が分散して、運動者側に伝達されることを最小化し、第１重量体５と第２重量体６の持ち上げ動作が容易に行われ得る。
【産業上の利用可能性】
【００５２】
本発明は、ウエイト運動棒、鉄棒運動棒及び平行運動具を用いて様々なウエイト運動を行うことができ、第１ベアリング体、第２ベアリング体、第３ベアリング体及び第４ベアリング体がそれぞれ、第１ガイド棒、第２ガイド棒、第３ガイド棒及び第４ガイド棒にそれぞれ嵌められて備えられることで、重量体の持ち上げられる動作によって、前記第１ベアリング体、第２ベアリング体、第３ベアリング体及び第４ベアリング体がそれぞれ、第１ガイド棒、第２ガイド棒、第３ガイド棒及び第４ガイド棒に沿って昇下降スライドされることは勿論、第１ベアリング体、第２ベアリング体、第３ベアリング体及び第４ベアリング体のそれぞれに備えられる複数個の第１ベアリング及び第２ベアリングが、互いに対して交差する「十」字状に位置して、第１ガイド棒、第２ガイド棒、第３ガイド棒及び第４ガイド棒の外面を同時に密着支持することができるので、持ち上げられる重量体の荷重が分散する。
【図１】
2021513387.tif 000003
【図２】
2021513387.tif 000004
【図３】
2021513387.tif 000005
【図４】
2021513387.tif 000006
【図５】
2021513387.tif 000007
【図６】
2021513387.tif 000008
【図７】
2021513387.tif 000009
【図８】
2021513387.tif 000010
【図９】
2021513387.tif 000011
【図１０】
2021513387.tif 000012
【図１１】
2021513387.tif 000013
【図１２】
2021513387.tif 000014
【国際調査報告】
2021513387.tif 000015
2021513387.tif 000016
2021513387.tif 000017
2021513387.tif 000018